(57)【特許請求の範囲】
【請求項１】
円錐台筒状の反射板本体と、
風又は光が放出される基部と該基部に連結された筒状部とを有し、前記基部が前記反射板本体の内側に配置されるとともに前記筒状部が前記反射板本体の外側に配置された送風格納部、又は、照明格納部と
を備えた送風反射板、又は、照明反射板であって、
前記反射板本体は、平面展開視において環状扇形を有し、
前記環状扇形の両端部の重なりを調整することにより、前記反射板本体のテーパ角度を可変とし、
前記筒状部は、前記反射板本体の環状扇形の内周縁から外側に露出しており、
一端部が前記筒状部に回動可能に連結され、他端部が前記反射板本体の環状扇形の内周縁を支持する棒状の連結部を備えたことを特徴とする、送風反射板、又は、照明反射板。
【請求項２】
前記送風格納部、又は、前記照明格納部における風又は光が放出される側には、円盤状の正面隠蔽材が取り付けられていることを特徴とする請求項１に記載の送風反射板、又は、照明反射板。
【請求項３】
前記反射板本体の外側面には、取手が設けられていることを特徴とする請求項１又は２に記載の送風反射板、又は、照明反射板。
【発明の詳細な説明】
【技術分野】
【０００１】
本発明は、風向や配光を調整する送風反射板、又は、照明反射板に関する。
【背景技術】
【０００２】
風向を拡散できる送風カバーとしては、例えば、特許文献１に記載のものがあり、また、特許文献２のように、エアカーテンによる空気膜で人を囲むものもある。風向が円錐状に拡散すれば、その円錐の角度によっては、エアコンの風を面で遮り拡散させるサーキュレーターとして機能させることができる。また、風向を人の顔付近を避けたパーソナルスペースの範囲で拡散させれば、飛沫感染対策としても効果がある。
【０００３】
配光を調整できる照明カバーとしては、特許文献３に記載のものがあり、特許文献４のように折り畳みできるものもある。また、配光を調整できる照明カバーのうち１つの素材により組み立てられているものとしては、特許文献５〜７等に記載のものがある。円錐状に配光が拡散すれば、その円錐の角度によっては、狭い角度ではスポットライトとしての効果を発揮し、広い角度では間接照明としての効果を発揮する。
【先行技術文献】
【特許文献】
【０００４】
【特許文献１】特開２０１５−４５３０８号公報
【特許文献２】特開２０２０−５１７０５号公報
【特許文献３】特開２００７−８０３５９号公報
【特許文献４】特開平８−１６９１３号公報
【特許文献５】実開平６−３８１１１号公報
【特許文献６】実用新案登録第３２１２６０１号公報
【特許文献７】特開２００２−１０２２１号公報
【発明の概要】
【発明が解決しようとする課題】
【０００５】
これら送風カバーや照明カバーは、「拡散の均一化」及び「広角・狭角による拡散の可変性」の２つの機能が両立出来れば、使用目的とその効果に多くのバリエーションを持たせる事ができる。
しかし、「拡散の均一化」を維持したまま、その広角・狭角を可変させるカバーが存在しないという現状がある。
【０００６】
本発明は、上述した問題点を解決するためになされたものであり、送風の風向や照明の調光を均一に拡散させ、さらに、拡散の均一性を保ちながら拡散の角度を可変調節できる送風反射板、又は、照明反射板を提供することを目的とする。
【課題を解決するための手段】
【０００７】
上記目的を達成するために、本発明に係る送風・照明反射板は、
円錐台筒状の反射板本体と、
前記反射板本体の内側に配置された送風・照明格納部とを備え、
前記反射板本体は、平面展開視において環状扇形を有し、
前記環状扇形の両端部の重なりを調整することにより、前記反射板本体のテーパ角度を可変とすることを特徴とする。
【０００８】
本発明によれば、前記環状扇形の両端部の重なりを調整することにより、反射板本体のテーパ角度を可変とすることができるため、円錐台筒状の反射板本体により、送風の風向や照明の調光を均一に拡散させ、さらに、拡散の均一性を保ちながら拡散の角度を可変調節できる。
【０００９】
上記発明において、前記環状扇形の外周縁の端部には、前記重なりの状態を保持するための留具が設けられていることを特徴とする。
【００１０】
本発明によれば、重なりの状態を保持して、送風又は照明の拡散状態を安定させることができる。
【００１１】
上記発明において、一端部が前記送風・照明格納部に回動可能に連結され、他端部が前記反射板本体の内周縁を支持する棒状の連結部をさらに備えたことを特徴とする。
【００１２】
本発明によれば、送風・照明格納部と反射板本体とを一体に連結し、持ち運び可能とすることができる。
【００１３】
上記発明において、前記送風・照明格納部における風又は光が放出される側には、円盤状の正面隠蔽材が取り付けられていることを特徴とする。
【００１４】
本発明によれば、送風又は照明を反射板本体の内側面に当てて反射及び拡散させることができる。
【００１５】
上記発明において、前記反射板本体の外側面には、取手が設けられていることを特徴とする。
【００１６】
本発明によれば、取手を把持して、重なりを調整することができる。
【図面の簡単な説明】
【００１７】
【図１】反射板本体のテーパ角度を大きくした場合の送風・照明反射板を正面側から見た斜視図である。
【図２】反射板本体のテーパ角度を小さくした場合の送風・照明反射板を正面側から見た斜視図である。
【図３】反射板本体のテーパ角度を大きくした場合の送風・照明反射板を背面側から見た斜視図である。
【図４】反射板本体のテーパ角度を小さくした場合の送風・照明反射板を背面側から見た斜視図である。
【図５】反射板本体の展開図である。
【図６】反射板本体のテーパ角度を大きくした場合の反射板本体を正面側から見た斜視図である。
【図７】反射板本体のテーパ角度を小さくした場合の反射板本体を正面側から見た斜視図である。
【図８】送風・照明反射板の分解図である。
【図９】送風・照明格納部の分解図である。
【図１０】反射板本体の環状扇形の両端部の重なりが小さい場合の断面図である。
【図１１】反射板本体の環状扇形の両端部の重なりが大きい場合の断面図である。
【図１２】図１０に示す送風・照明反射板の水平投影図である。
【図１３】図１１に示す送風・照明反射板の水平投影図である。
【発明を実施するための形態】
【００１８】
以下、図面を参照して、本発明の実施の形態について詳細に説明する。
図１は、反射板本体のテーパ角度を大きくした場合の送風・照明反射板を正面側から見た斜視図であり、図２は、反射板本体のテーパ角度を小さくした場合の送風・照明反射板を正面側から見た斜視図である。図３は反射板本体のテーパ角度を大きくした場合の送風・照明反射板を背面側から見た斜視図であり、図４は反射板本体のテーパ角度を小さくした場合の送風・照明反射板を背面側から見た斜視図であり、図５は反射板本体の展開図であり、図６は反射板本体のテーパ角度を大きくした場合の反射板本体を正面側から見た斜視図であり、図７は反射板本体のテーパ角度を小さくした場合の反射板本体を正面側から見た斜視図であり、図８は送風・照明反射板の分解図であり、図９は送風・照明格納部の分解図であり、図１０は反射板本体の環状扇形の両端部の重なりが小さい場合の断面図であり、図１１は反射板本体の環状扇形の両端部の重なりが大きい場合の断面図であり、図１２は図１０に示す送風・照明反射板の水平投影図であり、図１３は図１１に示す送風・照明反射板の水平投影図である。
【００１９】
図１〜図４に示すように、送風・照明反射板（１）は、円錐台筒状の反射板本体（２）と、反射板本体（２）のテーパ角度を保持する留具（３）と、反射板本体（２）の内側に配置された送風・照明格納部（４）と、反射板本体（２）と送風・照明格納部（４）とを連結支持する反射板支持用連結部（５）と、を備える。
【００２０】
反射板本体（２）は、薄い板状の部材であり、素材としては、金属、アクリル、プラスチック、ワーロン紙等の、薄い板状（面状）に成型可能であって、かつ、反射板本体（２）の可動域内において弾性変形するもので形成されている。反射板本体（２）の内側面（２１）は、照明使用時に光が拡散しやすい光沢のある金属、白色系素材等で形成されている。
【００２１】
図５は、反射板本体（２）の展開図である。反射板本体（２）は、平面展開視において環状扇形を有する。具体的には、反射板本体（２）の展開形状は、中心角が任意の扇形（又は、円に半径の切込みを入れたもの）において、中心部に孔（２３）を設けたものである。孔（２３）の径は任意であり、孔（２３）の中心角は扇形の中心角と同一である。
【００２２】
反射板本体（２）をこのような形状とすることにより、反射板本体（２）を、平面的に展開された状態から、渦のように立体的に巻き込み、環状扇形の両端部を重ね合わせることで、反射板本体（２）は立体的な円錐台の側面を有する円筒形状となる。反射板本体（２）の環状扇形の両端部の重なり部分（２６）の面積の大小によって、反射板本体（２）の側面方向の円錐台の角度（テーパ角度）を変化させる事ができる。
角度を変化させる際に、反射板本体（２）が一体的で隙間や継目が少ない形状を保ちながら、正面方向（本実施形態では、風又は光が放出される方向）の外周縁（２５）は円形を保ちながら拡大縮小する。
なお、上述したように、反射板本体（２）の素材はこのように可動域内において弾性変形可能な弾性体であるが、ゴムのような完全な弾性体に近いものではなく、半可塑性的なものであってもよい。このような半可塑性的な素材を用いることで、反射板本体（２）が立体的な円錐台の側面を有する円筒形状をした状態から、一度でもテーパ角度を後述する図１１のθ２を超えて小さくなるように反射板本体（２）を巻き込めば、形状記憶が働き、後述する留具（３）、（３０）及び、補助用留具（３１）を用いて環状扇片の両端部の重なり状態を物理的に保持していなくても、それに近い状態を保つ事ができる。
【００２３】
図６に示すように、反射板本体（２）の環状扇形の外周縁（２５）の端部には、環状扇形の両端部の重なりの状態を保持するための２つの留具（３）、（３０）が設けられており、内周縁（２４）の端部には補助用留具（３１）が設けられている。
具体的には、留具（３）、（３０）、及び、補助用留具（３１）は、凹形状（すなわち、レール溝を備えた形状）を有している。留具（３）は、反射板本体（２）の環状扇形の外周縁（２５）の端部のうち、重なり部分（２６）の外側（３２）に固定し、内側（３３）とは固定せずに可動とする。
留具（３０）は、環状扇形の外周縁（２５）の端部のうち重なり部分（２６）の内側（３４ａ）に固定し、外側（３５ａ）とは固定せずに可動とする。
【００２４】
補助用留具（３１）は、環状扇形の内周縁（２４）の端部のうち重なり部分（２６）の内側（３４ｂ）に固定し、外側（３５ｂ）とは固定せずに可動とする。なお、留具は環状扇形の外周縁（２５）上に少なくとも２箇所は必要であるが、内周縁（２４）上の補助用留具（３１）の設置は任意である。
【００２５】
重なり部分を、図６に示す重なり部分（２６）から図７に示す重なり部分（２７）に変化させると、円錐台の上底面と下底面とは中心角度が同じ回転角度となるが、円の径が小さい上底面より円の径が大きい下底面の方が移動量が大きい為、円錐台側面の角度をスムーズに変化させつつ、送風及び照明が反射板本体（２）の内側面（２１）に当たって反射する角度を可変とすることができる。
【００２６】
図９に示すように、送風・照明格納部（４）は、送風格納部（４０）、及び、照明格納部（４６）を備えている。なお、本実施形態では、送風・照明格納部（４）として、送風格納部（４０）、及び、照明格納部（４６）の双方を設けているが、送風格納部（４０）、及び、照明格納部（４６）のいずれか一方のみを設けてもよい。
【００２７】
送風格納部（４０）は、筒状のモーター格納部分（４１）に格納されるモーター（４３）と、モーター格納部分（４１）の先端部に連結され、吸気側に配置される円盤状のファン格納部分（４２）と、排気側に配置される円筒状のファン格納部分（４５）と、ファン格納部分（４２）、（４５）に格納されるファン（４４）と、電源（不図示）と、を備えている。モーター格納部分（４１）の基端部は反射板本体（２）の内周縁（２４）から外部に露出し、ファン格納部分（４２）、（４５）は反射板本体（２）の内側に配置される。ファン（４４）の作動中は、空気がファン格納部分（４５）の側面から排出され、反射板本体（２）の内側面（２１）に当たり拡散する。
【００２８】
照明格納部（４６）は、ファン格納部分（４５）の正面寄りの側面に格納されたリング状の照明器具（４７）を備えている。照明器具（４７）の作動中は、照明器具（４７）からの配光は反射板本体（２）の内側面（２１）に反射して拡散する。
【００２９】
送風・照明格納部（４）の正面側の先端部には、送風及び照明を正面方向から遮断する為の円盤状の正面隠蔽材（９）が、照明器具（４７）を正面側から覆うように照明器具（４７）と平行に取り付けられている。このような正面隠蔽材（９）を設けることにより、送風及び照明を、正面方向に対して遮断し、反射板本体（２）の内側面（２１）に対して集中して反射及び拡散させることができる。
【００３０】
図８に示すように、反射板本体（２）と送風・照明格納部（４）とは、反射板支持用連結部（５）で連結されている。反射板支持用連結部（５）は、一端部が送風・照明格納部（４）に回動可能に連結され、他端部が反射板本体（２）の内周縁（２４）を支持する。
【００３１】
詳細には、反射板支持用連結部（５）は、棒状の連結軸（５１ａ）を備えている。連結軸（５１ａ）の片端（５３）は、反射板本体（２）の内周縁（２４）の一部に接して固定される。連結軸（５１ａ）の他の片端には、貫通穴（５２ａ）が設けられており、送風・照明格納部（４）に回動可能に連結される。
【００３２】
具体的には、送風・照明格納部（４）のモーター格納部分（４１）の側面には、長手方向に沿って延びるスリット状の２本の貫通穴（５７ａ）、（５７ｂ）がモーター格納部分（４１）の中心軸に対して線対称に設けられている。貫通穴（５７ａ）及び貫通穴（５７ｂ）の位置から、モーター格納部分（４１）の中心軸に対して９０度離れたモーター格納部分（４１）の側面の基端部位置（５５ｂ）には、円形状の貫通穴（５６ａ）、（５６ｂ）が中心軸に対して線対称に設けられている。
【００３３】
連結軸（５１ａ）の他の片端が、送風・照明格納部（４）の貫通穴（５７ａ）内に配置された状態で、送風・照明格納部（４）の貫通穴（５６ａ）、（５６ｂ）及び連結軸（５１ａ）の貫通穴（５２ａ）を貫通する回転軸（５５ａ）が基端部位置（５５ｂ）に設けられている。これにより、反射板支持用連結部（５）は、回転軸（５５ａ）を中心に回動可能に、送風・照明格納部（４）に連結される。
このように連結することにより、図１０のθ１及図１１のθ２に示すように、反射板本体（２）の側面方向に角度をつけて開閉する為の可動域を生じさせることができる。
【００３４】
さらに、送風・照明反射板（１）には、反射板本体（２）と送風・照明格納部（４）とを連結する補助用の連結部（７）が設けられている。連結部（７）は、棒状の連結軸（５１ｂ）を備えている。連結軸（５１ｂ）の片端（５４）は、反射板本体（２）の環状扇形の内周縁（２４）の一部に固定されずに接している。このように固定されないようにすることで、重なり部分（２６）、（２７）の変化による反射板本体（２）の移動に対応することができる。連結軸（５１ｂ）の他の片端には、貫通穴（５２ｂ）が設けられており、送風・照明格納部（４）に回動可能に連結される。
【００３５】
具体的には、連結軸（５１ｂ）の他の片端が、送風・照明格納部（４）の貫通穴（５７ｂ）内に配置された状態で、回転軸（５５ａ）は、送風・照明格納部（４）の貫通穴（５６ａ）、（５６ｂ）及び連結軸（５１ｂ）の貫通穴（５２ｂ）を貫通している。これにより、連結部（７）は、回転軸（５５ａ）を中心に回動可能に、送風・照明格納部（４）に連結される。なお、連結部（７）は、反射板支持用連結部（５）の補助的なものであり、設けなくてもよい。
【００３６】
反射板本体（２）の外側面（２２）には、可動領域を制限するための可動制限留具（６０ａ）、（６０ｂ）が設けられている。これにより、反射板本体（２）を巻き込める可動範囲（重なり部分（２６）、（２７））が限定され、円錐台の上底面と下底面の円を決められた範囲で拡大縮小させることができる。
【００３７】
反射板本体（２）の外側面（２２）には、反射板本体（２）の重なり部分（２６）、（２７）を変化させる為の操作をし易くするための取手（８）が設置されている。取手（８）は、反射板本体（２）の重なり部分（２６）、（２７）を手動で変化させ易いように、長手方向が反射板本体（２）の環状扇形の中心から放射状に伸びる方向に沿うように、かつ、反射板本体（２）の重なり部分（２６）、（２７）の位置を避けて、取り付けられている。本実施形態では、取手（８）は両手で操作できるように２つ取り付けられている。図４に示すように、重なり部分が最大の重なり部分（２７）となっている場合に、２つの取手（８）の間に可動制限留具（６０ａ）、（６０ｂ）が近接するように、２つの取手（８）を取り付けるとよい。
【００３８】
以上説明したように、反射板本体（２）の環状扇形の両端部の重なり部分（２６）、（２７）を調整することにより、反射板本体（２）のテーパ角度を可変とすることができるため、円錐台筒状の反射板本体（２）により、送風の風向や照明の調光を均一に拡散させ、さらに、拡散の均一性を保ちながら拡散の角度を可変調節することができ、送風と調光のバリエーションを増やす事ができる。また、送風のエアカーテン効果による飛沫感染対策、虫除対策や、サーキュレーターとして利用することができる。
【産業上の利用可能性】
【００３９】
比較的小型で持ち運びが可能なスタンドライトや扇風機の用途（直径１０〜２０ｃｍ程度の扇円）や、比較的大型で壁面に直付（あるいは壁面との間にアーム等で連結されたもの）のスポットライトとして、一人囲う程度に風向きと配光を担えるもの（直径５０ｃｍ〜６０ｃｍ程度の扇円）として利用することができる。送風については、ハンディタイプの小型のものであれば扇風機として利用することができ、比較的大型のものであれば、エアコンデショナーのサーキュレーター、飛沫感染対策、虫害対策等に利用することができる。
【符号の説明】
【００４０】
１  送風・照明反射板
２  反射板本体
２６、２７  重なり部分
３  留具
４  送風・照明格納部
５  反射板支持用連結部
６０ａ、６０ｂ  可動制限留具
７  補助用の連結部
８  取手
９  正面隠蔽材
【要約】
【課題】送風の風向や照明の調光を均一に拡散させ、さらに、拡散の均一性を保ちながら拡散の角度を可変調節できる送風・照明反射板を提供する。
【解決手段】送風・照明反射板（１）は、円錐台筒状の反射板本体（２）と、反射板本体（２）の内側に配置された送風・照明格納部（４）とを備え、反射板本体（２）は、平面展開視において環状扇形を有し、環状扇形の両端部の重なり部分（２６）、（２７）を調整することにより、反射板本体（２）のテーパ角度を可変とすることを特徴とする。
【選択図】図１【図１】
0006979240.tif 000002
【図２】
0006979240.tif 000003
【図３】
0006979240.tif 000004
【図４】
0006979240.tif 000005
【図５】
0006979240.tif 000006
【図６】
0006979240.tif 000007
【図７】
0006979240.tif 000008
【図８】
0006979240.tif 000009
【図９】
0006979240.tif 000010
【図１０】
0006979240.tif 000011
【図１１】
0006979240.tif 000012
【図１２】
0006979240.tif 000013
【図１３】
0006979240.tif 000014